(57)【特許請求の範囲】
【請求項１】
吸湿吸水発熱性繊維の１〜１００、好ましくは３０〜８０ｍｍの繊維を５重量％以上用いた基材の一面に合成樹脂の皮膜又はフィルムを貼り合わせたものであって、水を含む液体との接触によって昇温することを特徴とする美容用具。
【請求項２】
ポリウレタンフォームの一面に吸湿吸水発熱性繊維の０．１〜１０ｍｍ、好ましくは０．３〜３ｍｍの短繊維を植毛加工してなるものであって、水を含む液体との接触によって昇温することを特徴とする美容用具。
【請求項３】
請求項１の基材の一面に植毛せしめてなるものであって、水を含む液体との接触によって昇温することを特徴とする美容用具。
【請求項４】
ポリアクリル酸系吸水発熱性繊維であることを特徴とする請求項１〜３のいずれかに記載の美容用具。
【請求項５】
水を含む液体が、化粧料、医薬液、クリ−ム又は化粧落し液であることを特徴とする請求項１乃至４のいずれかに記載の美容用具。
【発明の詳細な説明】
【０００１】
【産業上の利用分野】
本発明は、水を含む液体との接触によって発熱昇温する繊維を使用した基材によって形成された美容用具に関する。
また、本発明は、水を含む液体との接触によって発熱昇温する繊維により形成した基材の片面にプラスチックの皮膜などを貼合わせてなる美容用具に関する。
さらに、本発明は、水を含む液体との接触によって発熱昇温する繊維の短繊維をポリウレタ形成品の一面に植毛したものである美容用具に関する。
さらに、本発明は、化粧料、医薬液、クリ−ム又は化粧落し液を使用するときに用いる美容用具に関する。
なお、本発明で基材とは、吸湿吸水性繊維で形成された繊維わた（ウエブ）、不織布、織物又は編物を指す。
【０００２】
【従来の技術】
従来、化粧液や医薬液の使用に際して、肌にやさしい観点から、化粧用美容用具や化粧料を或る程度加温して用いたいとするニ−ズは高かった。しかし皮膚面に好ましい温度に化粧液や医薬液あるいはこれを塗布する美容用具を暖めることは簡単でなく、一方では化粧料の温度変化にともなう問題などがあった。水を含む化粧料を用いて化粧料の皮膚への吸収を早くして効果を高めたり、化粧落し液によって化粧落し効果を高めたり、洗浄液が顔面、首まわり、胸などの体脂の洗浄効果を上げるには、４０〜５０℃位の温湯を用いることが適当であることは知られているが、このような高い温度では肌がやけどする場合もあり、危険であった。このため適宜の温度で化粧落し液による化粧落としの必要があったが、温湯以外に適当な手段はなかった。しかし温湯では、温度調節に手間がかかり、簡便な方法ではなかったので、簡単に化粧落しの可能な手段又は美容用具が模索されていた。
【０００３】
また、水を含む液体との接触によって発熱昇温する繊維自体、あるいはこれらの繊維を使用した繊維わたやウエブのような繊維製品は、本出願前に公知のものである。例えば、吸湿吸水発熱性のアクリル酸系繊維を、表地と裏地との中間に存在せしめることにより、人体から発生する気相及び液相の汗あるいは衣服外から侵入する気相及び液相の水分を吸収して発熱保温する吸放出吸水発熱性保温品（特公平７−５９７６２号公報）、吸湿、吸水によって生じる発熱量を高めて耐寒性を向上せしめたスキ−用などの防寒手袋（特開平８−１５８１２４号公報）、吸放出吸水発熱性繊維を静電気及び接着剤によって繊維基材表面に立毛状に保持せしめた、衣服、手袋、靴下、靴、シュラフ、寝装品全般、トイレの便座カバ−、電熱不要の足温器、発熱ひざ掛け、カ−テンなどに用いる吸放出吸水発熱性保温基材（特開平８−１９７６６１号公報、特開平８−３１１７６７号公報）、吸放湿吸水発熱繊維とポリウレタンフォ−ムを含む複合材の製造法（特開平９−１０９３０５号公報）、アクリル酸系の吸放出吸水発熱性繊維の短繊維植毛品（特開平０８−１９７６６１号公報）、アミン、ヒドロキシ、カルボキシル基などを含有してなる湿潤発熱性繊維主体の繊維わた（特開平８−３１１７６７号公報）で開示されている。
【０００４】
【発明が解決しようとする課題】
本発明者らは、吸湿吸水発熱昇温性を有する美容用具を用いることによって６０℃以下の安全な温度に上昇させることによって、安全な温度で化粧したり、化粧落ししたり、化粧品や医薬品を塗布する美容用具を提供することを課題とする。
また、水を含む化粧料を用いて化粧料の皮膚への吸収性を高めて、あるいは洗浄液による顔面、首まわり、胸などにおける化粧落し作用が４０〜５０℃位の温湯を用いた場合と同程度の効果を有する美容用具を提供することである。
本発明では、吸湿吸水発熱性繊維の吸水発熱性を最も効果的に活用して、美容用具の使用前に化粧料や化粧液などの水分との接触によって適度の温度、例えば６０℃以下に昇温させた状態で顔面を拭うことによりやけどの危険のない美容用具を課題とする。
さらに、本発明では人体に接触することによって、発熱せしめ、かつ保温せしめる美容用具の開発を課題とする。
【０００５】
【課題を解決するための手段】
羊毛は、湿分又は水分を吸収して水和発熱することが知られているが、本発明では羊毛のこのような水和発熱性に比して格段と優れた吸水発熱性繊維の本来的特徴とする吸水発熱性を最大限利用して経済性の高い美容用具を具現化することができた。即ち、本発明では吸湿あるいは吸水によって発熱する繊維のウエブ（わた）又は不織布などより形成された基材もしくは該基材上にこれらの繊維の短繊維を植毛加工した美容用具、さらには基材の一面にプラスチックの皮膜又はフイルムをラミネートした化粧用美容用具であって、ある程度の量の水を含む液体を化粧用美容用具に浸み込ませることによって６０℃以下の温度に昇温させることの可能な吸水発熱性美容用具とすることができる。
前述の吸湿吸水発熱性繊維、短繊維植毛品又は湿潤発熱性繊維などを主体とした繊維わた（ウエブ）、不織布、織物、編物又は該繊維わた、不織布、織物、編物などの一面にプラスチックの皮膜又はフイルムをラミネートしてなる美容用具に水を含む液体を浸しみ込ませることによって６０℃以下の温度に昇温せしめ、また、昇温した該美容用具を出来るだけ冷やさないようにするため美容用具の一面にプラスチックの皮膜かフイルムを積層することによって化粧料の皮膚への吸収を良くしたり、あるいは洗浄液が顔面、首まわり、胸、などの体脂の洗浄効果を上げることができる。本発明の美容用具は、温湯を使用することなく、いつ、どこでも、水の吸収のみによって、４０〜５０℃程度の肌に優しい温度で使用することが可能である。
【０００６】
本発明で用いる吸水発熱性の機能を高めた繊維は、アミン、ヒドロキシ、カルボキシル基などを含有してなる吸湿吸水発熱性繊維が挙げられ、これらの繊維は自重の６０％前後までの水分を吸収による水和発熱反応によって発熱する。これらの繊維を用いた美容用具では、乾燥した自重に対し一定量の水分をしみこませると、最高で６０℃前後まで昇温せしめることが可能である。
これらの繊維を用いた不織布、繊維ウエッブ、短繊維植毛品などを用いた美容用具水を含む化粧料や医薬液、クリ−ムなどを用いることによって、吸水により昇温して化粧料や医薬液、クリ−ムなどの皮膚への吸収を早くして効果を高めることができる。また、水を含む化粧落としとしての効果を良くしたり、洗浄液が顔面、首まわり、胸などに含まれる体脂の洗浄効果も発揮することができる。
【０００７】
上記吸湿吸水発熱性の繊維は、トウ単独か又は他の繊維のトウと一定の重量比で混打綿してカ−ド出しした繊維ウエブをそのまま使用するか、パンチングして任意の厚さの不織布を用いて美容用具とするか、片面にプラスチックの皮膜あるいはフイルムを貼合わせたたり、又はポリウレタンフォ−ムや不織布のような基材に該吸水発熱性繊維の短繊維を植毛せした美容用具として、これらに対して一定量の水を含む化粧料や化粧落とし液や消毒液などの医薬液やクリ−ムを浸みこませて発熱させて、適温状態で使用することにより目的を果たすことができる。
【０００８】
本発明は、水分を吸収することによって水和発熱反応により発熱するポリアクリル酸系の吸水発熱性繊維の１〜１００ｍｍ、好ましくは３０ｍｍ〜８０ｍｍの繊維を５重量％以上用いた繊維腸わた、不織布、織物又は編物からなる美容用具、又は該吸水発熱性繊維の１〜１００ｍｍ、好ましくは３０ｍｍ〜８０ｍｍの５重量％以上用いた繊維腸わた、不織布、織物又は編物の片面にプラスチックの皮膜あるいはフイルムを貼合わせた美容用具、該アクリル酸系吸放出吸水発熱性繊維の短繊維をポリウレタンフォ−ムや繊維わた、不織布、織物又は編物に植毛せしめてなる美容用具に対して、医薬液を塗布したり、化粧落しを塗布して、水を含む液体を侵みこませることによって昇温させることによって従来の化粧法における問題点を解決する。
本発明は、化粧水、化粧料を肌に塗布する場合に基材に化粧水、化粧料を含ませて加温効果により塗布及び浸透効果を良くする美容用具として有効である。また、肌に化粧水、化粧料を塗布しておいてフェイスカバ−、フェイスマスク、フェイスパットとして肌に接触せしめる美容用具として、あるいはシェ−ビングの際のプリヒ−トカバ−、頭皮に養毛料や育毛剤を施したときの保温の為の保熱カバ−にも使用可能である。さらには、エステティックの用途として美容液を肌に塗布してサポ−タ−、ボディタオル、ガウン、靴下、手袋等としても使用可能である。
なお、本発明の美容用具は、化粧水、化粧料の外に水を含むものであれば、医薬部外品、医薬品等において幅広く利用することができる。
【０００９】
【実施例】
【実施例１】
アクリル酸系吸放出吸水発熱性繊維（東洋紡績株式会社製、商品番号「Ｎ−３８」）からなる３ｄの５１ｍｍの長さのトウを９０％の重量、レーヨン２ｄの３８ｍｍの長さのトウを１０％の重量の比率で混打綿してカード出しした８００ｇ／ｍ２  の繊維ウエブをウォーターパンチングして４．５ｍｍの厚さの不織布とする。
次いで、その裁断品の５０×５０ｍｍ角（２ｇ）に化粧水を３．５ｇ（水分率９５．５％）を浸透させることによって、化粧水の温度を使用前に比して２０℃もしくはそれ以上上げることが出来た。この吸水発熱性は、羊毛など、従来の素材では想像もつかない効果であった。
【００１０】
【実施例２】
実施例１のアクリル酸系吸放出吸水発熱性繊維からなる３ｄの５１ｍｍの長さのトウをカード出しした７００ｇ／ｍ２  の繊維ウエブをパンチングして４．５ｍｍの厚さの不織布とし、その表面に接着剤を塗布して、特開平０８−１９７６６に述べられているアクリル酸系吸放出吸水発熱性繊維（東洋紡績株式会社製  開発番号Ｎ−３８）の０．３ｍｍ〜３ｍｍの短繊維を植毛せしめ、乾燥し、接着剤を加熱架橋せしめた。次いで、得られた長尺製品を直径６０ｍｍに裁断して形成された化粧用美容用具（３ｇ）に化粧乳液を４．０ｇ（水分率７５．０％）を浸透させて化粧水の温度を測定した。化粧水の温度を使用前に比べて１５℃以上上げて使用することが出来た。
【００１１】
【実施例３】
実施例１のアクリル酸系吸放出発熱性繊維からなる３ｄの５１ｍｍ長さのトウを９０％の重量、レーヨン２ｄの３８ｍｍの長さのトウを１０％の重量の比率で混打綿してカードだした８００ｇ／ｍ２  の繊維ウエブをウォーターパンチングして４．５ｍｍ厚さの不織布とし、更にポリウレタンの３０ミクロンのフィルムをラミネートして、積層品とした。得られた積層品（３ｇ）を５０×６５ｍｍ角の美容用具とし、これに化粧水を４．０ｇ（水分率９５．５％）を浸透させたところ、化粧水の温度を２０℃以上上げることができた。
【００１２】
【実施例４】
実施例１のアクリル酸系吸放出発熱性繊維からなる３ｄの５１ｍｍ長さのトウを１００％の用いてカード出した６００ｇ／ｍ２  の繊維ウエブをウォーターパンチングして４．０ｍｍ厚さの繊維ウエッブ／不織布とした。６５ｍｍ角の裁断品２ｇ）に化粧乳液２．５ｇ（水分率７５．５％）を浸透させたところ、化粧水の温度を２０℃以上に上げることが出来た。
【００１３】
【発明の効果】
不織布、織物、編物、などからなる美容用具とするか、あるいは該繊維わた、ウエブ、不織布、織物又は編物などの一面に皮膜又はフイルムをラミネートしてなる美容用具に水を含む液体を浸しみ込ませることによって、簡単に６０℃以下の温度に昇温するので、いつ、どこででも肌に優しく使用することができる。また、昇温した美容用具を出来るだけ冷やさないようにするために美容用具の一面にプラスチックの皮膜かフイルムを使用することによって化粧料の皮膚への吸収を良くしたり、洗浄液が顔面、首まわり、胸などの体脂の洗浄効果を上げることができ、本発明の製品の有用性は高い。